(57)【要約】【課題】鉄骨などの骨格部材に支持された金属屋根に空気層を形成し、すがもれが生じにくい、夏涼しく、冬暖かい建物を提供する。【解決手段】同一平面上に所定の間隔を存して配列された複数本の細長い金属製の骨格部材２の所定位置に吊り子６が固定配置される。下地屋根板１０は、立ち上がり部１０ｂ，１０ｃが形成され、該立ち上がり部の上部が水平方向と垂直方向に屈折されて係合部が形成されている。下地屋根板１０は、骨格部材２上に複数配列され、互いの隣接する係合部が吊り子６を介して係合する。断熱下地板１４，１６が下地屋根板１０の各係合部の上部に載置され、該下地屋根板１０との間に各立ち上がり部ごとに区画された空気室１８を形成する。断熱板１４，１６の上面には金属製の屋根板２０が配設される。空気室１８は外部と連通し、各下地屋根板１０の各平板部には通気孔２４が設けられ、空気室１８と下地屋根板１０の下方側とが連通する。【選択図】  図３
2006219923.tif 000002
【特許請求の範囲】
【請求項１】
同一平面上に所定の間隔を存して配列された複数本の細長い金属製の骨格部材と、前記骨格部材の複数の所定位置に固定配置された吊り子と、帯状の長尺状の平板部の両側部に該平板部に対して直角な立ち上がり部が形成され、該立ち上がり部の上部が水平方向と垂直方向に屈折されて係合部が形成され、前記骨格部材上に複数配列され、互いの隣接する係合部が前記吊り子を介して係合する下地屋根板と、前記下地屋根板の各係合部の上部に載置され、該下地屋根板との間に各立ち上がり部ごとに区画された空気室を形成する１枚又は複数枚の断熱下地板と、前記断熱下地板の上面に配設された金属製の屋根板とを備え、前記空気室の開口端を屋外に対向させ空気室を屋外と連通させたことを特徴とする通気断熱屋根。
【請求項２】
前記各下地屋根板の各平板部に通気孔を設け、前記空気室と前記下地屋根板の下方側を連通したことを特徴とする請求項１に記載の通気断熱屋根。
【請求項３】
前記骨格部材の下方に天井板を配設し、該天井板に通気穴を設け、該通気穴にファンを取り付け、前記空気室内の空気を前記天井板上方の屋根裏に導き、該屋根裏の空気を前記ファンによって室内に導くようにしたことを特徴とする請求項２に記載の通気断熱屋根。
【請求項４】
前記各下地屋根板の立ち上がり部に通気孔を設け、空気室間を連通させたことを特徴とする請求項１又は請求項２に記載の通気断熱屋根。
【発明の詳細な説明】
【技術分野】
【０００１】
本発明は、鉄骨を下地材とした通気断熱屋根に関する。
【背景技術】
【０００２】
建物の屋根裏空間部の熱気を二重屋根と外壁の空気流通路を利用してコントロールし、夏涼しく冬暖かい住環境を実現した温度制御システムが従来知られている（例えば特許文献１参照）。また、屋根板の下面と下地材との間に空気層を形成した屋根が従来知られている（例えば特許文献２参照）。
【特許文献１】特開２００３−２４７７３４号公報
【特許文献２】特開２００３−１６１００４号公報
【発明の開示】
【発明が解決しようとする課題】
【０００３】
Ｃ型鋼など鉄骨からなる細長い骨格部材を同一平面上に所定間隔を存して複数配列し、該骨格部材を支持材により支持して、屋根の下地とする工法が従来知られている。骨格部材には、通常、直接金属の屋根板が固定されて、屋根が構築される。この場合、骨格部材はかなり間隔を存して配列されているため、骨格部材を下地とする金属屋根は、薄い１枚の金属板のみが内外を画する構造となり、断熱効果がほとんどなく、強度的に優れていても、夏暑く、冬寒い屋根となってしまう。また、このような骨格部材上に金属屋根を構築したものは、屋根の雪が溶け、その水が凍り、ダムの状態になり、このダムに雪解けの水が逆流して天井裏等にしみ込み、水漏れを起こす「すがもれ」が発生し易いという問題点がある。
本発明は上記問題点を解決することを目的とするものである。
【課題を解決するための手段】
【０００４】
上記目的を達成するため本発明は、同一平面上に所定の間隔を存して配列された複数本の細長い金属製の骨格部材と、前記骨格部材の複数の所定位置に固定配置された吊り子と、帯状の長尺状の平板部の両側部に該平板部に対して直角な立ち上がり部が形成され、該立ち上がり部の上部が水平方向と垂直方向に屈折されて係合部が形成され、前記骨格部材上に複数配列され、互いの隣接する係合部が前記吊り子を介して係合する下地屋根板と、前記下地屋根板の各係合部の上部に載置され、該下地屋根板との間に各立ち上がり部ごとに区画された空気室を形成する１枚又は複数枚の断熱下地板と、前記断熱下地板の上面に配設された金属製の屋根板とを備え、前記空気室の開口端を屋外に対向させ空気室を屋外と連通させたものである。
また本発明は、前記各下地屋根板の各平板部に通気孔を設け、前記空気室と前記下地屋根板の下方側を連通したものである。
また本発明は、前記骨格部材の下方に天井板を配設し、該天井板に通気穴を設け、該通気穴にファンを取り付け、前記空気室内の空気を前記天井板上方の屋根裏に導き、該屋根裏の空気を前記ファンによって室内に導くようにしたものである。
また本発明は、前記各下地屋根板の立ち上がり部に通気孔を設け、空気室間を連通させたものである。
【発明の効果】
【０００５】
本発明は、鉄骨などの骨格部材を覆う屋根板の下部に空気室を形成したので、夏は空気室の熱い空気を外に逃がして室内を涼しくできる。また、空気室と室内を通気孔によって連通すれば、冬は空気室内の暖かい空気を室内に取り込んで室内を暖かくすることができる。また、空気室を形成する下地屋根板は、その平板部が骨格部材の載置面に水平に密着するようにしたので、空気室の体積を大きくとることができる。また屋根に形成される空気層により、すがもれを防止することができる。
【発明を実施するための最良の形態】
【０００６】
以下に本発明の実施の形態を添付した図面を参照して詳細に説明する。
図１中、符号２は屋根の骨格を構成する骨格部材であり、本実施形態では、Ｃ型鋼が用いられている。骨格部材２は、複数本互いに所定間隔を存して同一平面上に配列され、建造物の支持構造体４によって支承されている。骨格部材２の所定位置には、短尺状の吊り子６（図３参照）がビスなどの止着具により固定されている。
【０００７】
１０は、鋼板などの長尺状の金属板からなる下地屋根板であり、複数並列状に、骨格部材２の載置平面上に、複数の骨格部材２にまたがって配置されている。各下地屋根板１０の両側部には、図４に示すように、平板部１０ａに対して直角な立ち上がり部１０ｂ，１０ｃが形成され、一方の立ち上がり部１０ｂには、平板部１０ａに対して直角に外方向に向け水平に伸びる上位水平部１０ｄと、該水平部１０ｄに対して直角に屈折された垂下部１０ｅが形成され、これらが係合部を構成している。
【０００８】
下地屋根板１０の他方の立ち上がり部１０ｃには、平板部１０ａに対して水平に内方向に伸びる上位水平部１０ｆと、該水平部１０ｆに対して直角に屈折された垂下部１０ｇが形成され、これらが係合部を構成している。各下地屋根板１０の一方は、対面する吊り子６の一側面に係合し、他方は、対面する吊り子６の他側面に、図３に示すように、係合している。吊り子６の一側面と他側面に配置された一対の屋根板１０，１０は、立ち上がり部１０ｂ，１０ｃが、吊り子６の立ち上がり部６ａに合接し、一方の上位水平部１０ｂと垂下部１０ｅとからなる係合部が、吊り子６の上部の上位水平部６ｂと垂下部６ｃの下側に嵌合している。
【０００９】
また、一対の下地屋根板１０，１０の他方の上位水平部１０ｆと垂下部１０ｇとからなる係合部が、吊り子６の上部の上側に嵌合している。吊り子６の上部を介して互いに合接する一対の下地屋根板１０，１０の上位水平部１０ｄ，１０ｆは、平板部１０ａから所定の高さを有する、帯状の水平面を有する支持部１２を構成する。前記支持部１２の上には、グラスウールなどの断熱ボードからなる板状の断熱下地材１４が載置され、、適宜な止着具により、前記支持部１２に固定されている。
【００１０】
前記下地材１４の上には、更に、高圧木毛セメント板などからなる断熱下地材１６が載置され、適宜な止着具により、前記下地材１４に固定されている。前記下地屋根板１０の平板部１０ａと前記下地材１４との間には、立ち上がり部１０ｂ，１０ｃで区画された空気室１８が形成されている。前記下地材１６の上面には、防水用のゴムアスファルトルーフィング（図示省略）が敷かれ、その上に帯状に伸びる複数の金属製の屋根板２０が並列に配置されている。各屋根板２０は、下地材１６に固定された吊り子を介して、隣接する側部が結合されている。
【００１１】
前記空気室１８の端部は、図２に示すように、建物の軒先側に伸び、該軒先側に並列に開口配置され、外からの空気が、空気室１８の中に入り、また空気室１８から外に出るようになっている。前記各空気室１８の各端部には、外部から雨水が吹き込まないように、また、虫などが入らないように、防水板や網が配置されている。前記下地屋根板１０の、平板部１０ａと立ち上がり部１０ｂ，１０ｃには、図４に示すように、通気孔２４が穿設され、この孔２４を通じて、空気室１８相互間で空気が出入りするように構成されている。
【００１２】
また空気室１８と天井板２６の上方の屋根裏との間で、空気が出入りするように構成されている。前記天井板２６には、室内と天井裏とを連通する複数の通気穴が設けられ、この通気穴の１つに電動型ファン２８が配設されている。なお、本実施形態では、各下地屋根板１０の長手方向を屋根の軒に対して直角な方向即ち縦方向に配置したが、横方向に配置しても良い。図２中、２２は軒樋、２４は縦樋である。
【００１３】
上記した構成において、互いに同一平面上を並列に配置された下地屋根板１０は、各平板部１０ａの底面の一部が、骨格部材２の載置平面に密着する。これにより、各空気室１８の底部は、骨格部材２の載置平面との間に水平を保持し、気密性が保持される。この気密性により、骨格部材２上に形成される空気室１８の体積を大きくすることが可能となる。夏季は建物の室内の高温の空気が天井板２６を抜けて、空気室１８に入り、空気室１８から建物の外部に放出される。
【００１４】
また、冬季は、空気室１８内の暖かい空気が屋根裏に入り、この屋根裏から暖かい空気をファン２８の駆動によって室内に導くことができる。また、屋根に空気層が形成され軒先に開口することにより、屋根の雪が解け、その水が凍って氷となりダムの状態になるのを防止することができ、「すがもれ」現象の発生を防止することができる。
【図面の簡単な説明】
【００１５】
【図１】本発明の一実施形態である通気断熱屋根の正面から見た断面説明図である。
【図２】本発明の一実施形態である通気断熱屋根の側面から見た断面説明図である。
【図３】本発明の要部の断面説明図である。
【図４】下地屋根板の外観図である。
【符号の説明】
【００１６】
２      骨格部材
４      支持構造体
６      吊り子
１０    下地屋根板
１０ａ  平板部
１０ｂ  立ち上がり部
１０ｃ  立ち上がり部
１２    支持部
１４    下地材
１６    下地材
１８    空気室
２０    屋根板
２２    軒樋
２４    通気孔
２６    天井板
２８    ファン
【図１】
2006219923.tif 000003
【図２】
2006219923.tif 000004
【図３】
2006219923.tif 000005
【図４】
2006219923.tif 000006